(57)【要約】【課題】ユーザの意図に反して予約記録中の放送コンテンツを出力して視聴させてしまうといった事態を、防止することが可能な記録再生装置を提供する。【解決手段】記録再生装置１は、放送コンテンツを受信する放送受信手段１１と、放送コンテンツを出力するコンテンツ出力手段１３と、放送受信手段１１で受信可能な放送コンテンツを予約記録する予約記録手段１２とを備え、放送コンテンツの記録及び再生を行う。コンテンツ出力手段１３は、予約記録手段１２にて予約に従った放送コンテンツの記録がなされている期間中、記録対象となっている放送コンテンツの出力を制限する出力制限手段１３ａを有する。出力制限手段１３ａでは、例えば、対象の放送コンテンツの出力自体を禁止したり、対象の放送コンテンツを先頭から出力したりすることで、出力制限を行う。【選択図】図１
2006287785.tif 000002
【特許請求の範囲】
【請求項１】
放送コンテンツを受信する放送受信手段と、放送コンテンツを出力するコンテンツ出力手段と、前記放送受信手段で受信可能な放送コンテンツを予約記録する予約記録手段とを備え、放送コンテンツの記録及び再生を行う記録再生装置であって、前記コンテンツ出力手段は、前記予約記録手段にて予約に従った放送コンテンツの記録がなされている期間中、記録対象となっている放送コンテンツの出力を制限する出力制限手段を有することを特徴とする記録再生装置。
【請求項２】
前記出力制限手段は、前記予約記録手段にて予約に従った放送コンテンツの記録がなされている期間中、記録対象となっている放送コンテンツの出力を禁止する手段であることを特徴とする請求項１に記載の記録再生装置。
【請求項３】
当該記録再生装置で出力可能なコンテンツを一覧表示する一覧表示手段を備え、前記出力制限手段は、前記記録対象となっている放送コンテンツの出力を禁止している期間中、該放送コンテンツの出力を要求された場合に、前記一覧表示手段に対し、現在出力可能なコンテンツを一覧表示するよう指示する手段を有することを特徴とする請求項２に記載の記録再生装置。
【請求項４】
前記出力制限手段は、前記予約記録手段にて予約に従った放送コンテンツの記録がなされている期間中、記録対象となっている放送コンテンツの出力を要求された場合に、該放送コンテンツの先頭からの出力とする限定を行う手段であることを特徴とする請求項１に記載の記録再生装置。
【請求項５】
前記出力制限手段は、前記予約記録手段にて予約に従った放送コンテンツの記録がなされている期間中、記録対象となっている放送コンテンツの出力を要求された場合に、出力の是非を確認する表示を行う出力確認手段を有し、該出力確認手段での確認の結果、前記放送コンテンツの出力を再度要求されている場合には、該放送コンテンツに対して前記確認以外の出力制限を行わないことを特徴とする請求項１乃至４のいずれか１項に記載の記録再生装置。
【請求項６】
前記放送受信手段は、複数のチューナを有し、前記予約記録手段で予約記録に使用中のチューナを予約記録チューナ、該予約記録チューナ以外のチューナを他のチューナとすると、該他のチューナは、前記予約記録チューナで受信した放送コンテンツが前記出力制限手段により出力制限されている場合に、前記予約記録チューナで受信した放送コンテンツ以外の放送コンテンツを受信し、前記コンテンツ出力手段は、前記他のチューナのいずれかで受信した放送コンテンツを出力することを特徴とする請求項１乃至５のいずれか１項に記載の記録再生装置。
【請求項７】
放送コンテンツに対する番組情報からなる電子番組表を取得する電子番組表取得手段を備え、前記出力制限手段は、前記電子番組表取得手段で取得された番組情報に基づき、所定条件を満たす番組の記録が予約されたときにのみ、該番組の出力を制限することを特徴とする請求項１乃至６のいずれか１項に記載の記録再生装置。
【請求項８】
放送コンテンツを受信して記録及び再生を行う記録再生方法であって、放送コンテンツを受信する受信ステップと、放送コンテンツを出力する出力ステップと、前記受信ステップで受信可能な放送コンテンツを予約記録する予約記録ステップとを含み、前記出力ステップは、前記予約記録ステップにて予約に従った放送コンテンツの記録がなされている期間中、記録対象となっている放送コンテンツの出力を制限する出力制限ステップを有することを特徴とする記録再生方法。
【請求項９】
請求項１乃至７のいずれか１項に記載の記録再生装置として、コンピュータを機能させるためのプログラム。
【請求項１０】
放送コンテンツを受信して予約記録及び再生を行う記録再生装置に組み込んで、該記録再生装置内の演算処理装置に実行させるためのプログラムであって、記録の予約に従った放送コンテンツの記録がなされている期間中、記録対象となっている放送コンテンツの出力を制限するステップを、前記演算処理装置に実行させることを特徴とするプログラム。
【請求項１１】
請求項９又は１０に記載のプログラムを記録したコンピュータ読み取り可能な記録媒体。
【発明の詳細な説明】
【技術分野】
【０００１】
本発明は、予約記録機能を有する記録再生装置、記録再生方法、プログラム、及び記録媒体に関する。
【背景技術】
【０００２】
従来から、映画，ニュース番組，ドラマ，スポーツ番組，音楽番組などのコンテンツが、テレビ放送やラジオ放送によって配信或いはビデオカセットテープ，ＤＶＤ（Ｄｉｇｉｔａｌ  Ｖｅｒｓａｔｉｌｅ  Ｄｉｓｃ），ＣＤ（Ｃｏｍｐａｃｔ  Ｄｉｓｃ）等の記録媒体で配布されている。近年は、配信する放送形態も増え、流通する記録媒体の種類や容量も増えてきており、大容量のコンテンツも視聴者に届くようになってきている。さらに、昨今の情報処理機器及びネットワーク技術の進展により、ネットワークを介した通信によっても視聴者にコンテンツが配信されている。
【０００３】
テレビ放送やラジオ放送で代表される放送コンテンツは、放送時間に視聴者の都合でコンテンツを視聴できないこともあり、これを補償するために予約録音機能や予約録画機能をもった装置がある。これら予約記録機能を用い、ユーザは予約記録を行いたい放送コンテンツを各種メディアや電子番組表（ＥＰＧ）を参照して探し出して予約し、装置はその予約を受け付け、その予約に従った記録処理を行う。
【０００４】
また、複数の録画番組のそれぞれの内容をインデックス画像で確認でき、しかも所望の録画番組を簡単な操作で正確に頭出しできるようにすることを目的としたビデオレコーダが提案されている（例えば、特許文献１を参照）。特許文献１に記載のビデオレコーダでは、留守録コール手段を操作すると、予約録画された番組毎の、録画予約手段により指定した少なくとも録画日や録画開始時刻やチャンネルからなる予約録画番組情報とインデックス画像記憶手段に記憶されたインデックス画像がディスプレイ装置に一覧表示され、前記予約録画番組情報と前記インデックス画像に基づき所望の予約録画番組を選択すると、当該予約録画番組のインデックス信号の位置をサーチして頭出し再生する。
【特許文献１】特開２０００−２６１７５５号公報
【発明の開示】
【発明が解決しようとする課題】
【０００５】
しかしながら、上述のごときビデオレコーダをはじめとする従来の記録再生装置では、予約録画中にビデオレコーダの出力を行うと、チューナが録画中の番組に合わされているため、録画中の現在の番組が最初に表示されることとなる。
【０００６】
このため、野球やサッカーなどのスポーツ中継や、ドラマのクライマックス部分など、ユーザが番組の先頭からの視聴のみを希望し、決して番組の途中からの視聴を望まない場合であっても、録画中の番組がテレビに映し出されるため、ユーザにとって不本意な視聴を行わざるを得なかった。
【０００７】
本発明は、上述のごとき実情に鑑みてなされたものであり、ユーザの意図に反して予約記録中の放送コンテンツを出力して視聴させてしまうといった事態を、防止することが可能な、記録再生装置、記録再生方法、その記録再生装置に組み込むためのプログラム、及びそのプログラムを記録したコンピュータ読み取り可能な記録媒体を提供することをその目的とする。
【課題を解決するための手段】
【０００８】
本発明は、上述のごとき課題を解決するために、以下の各技術手段によりそれぞれ構成される。
【０００９】
第１の技術手段は、放送コンテンツを受信する放送受信手段と、放送コンテンツを出力するコンテンツ出力手段と、前記放送受信手段で受信可能な放送コンテンツを予約記録する予約記録手段とを備え、放送コンテンツの記録及び再生を行う記録再生装置であって、前記コンテンツ出力手段は、前記予約記録手段にて予約に従った放送コンテンツの記録がなされている期間中、記録対象となっている放送コンテンツの出力を制限する出力制限手段を有することを特徴としたものである。
【００１０】
第２の技術手段は、第１の技術手段において、前記出力制限手段は、前記予約記録手段にて予約に従った放送コンテンツの記録がなされている期間中、記録対象となっている放送コンテンツの出力を禁止する手段であることを特徴としたものである。
【００１１】
第３の技術手段は、第２の技術手段において、当該記録再生装置で出力可能なコンテンツを一覧表示する一覧表示手段を備え、前記出力制限手段は、前記記録対象となっている放送コンテンツの出力を禁止している期間中、該放送コンテンツの出力を要求された場合に、前記一覧表示手段に対し、現在出力可能なコンテンツを一覧表示するよう指示する手段を有することを特徴としたものである。
【００１２】
第４の技術手段は、第１の技術手段において、前記出力制限手段は、前記予約記録手段にて予約に従った放送コンテンツの記録がなされている期間中、記録対象となっている放送コンテンツの出力を要求された場合に、該放送コンテンツの先頭からの出力とする限定を行う手段であることを特徴としたものである。
【００１３】
第５の技術手段は、第１乃至第４のいずれかの技術手段において、前記出力制限手段は、前記予約記録手段にて予約に従った放送コンテンツの記録がなされている期間中、記録対象となっている放送コンテンツの出力を要求された場合に、出力の是非を確認する表示を行う出力確認手段を有し、該出力確認手段での確認の結果、前記放送コンテンツの出力を再度要求されている場合には、該放送コンテンツに対して前記確認以外の出力制限を行わないことを特徴としたものである。
【００１４】
第６の技術手段は、第１乃至第５のいずれかの技術手段において、前記放送受信手段は、複数のチューナを有し、前記予約記録手段で予約記録に使用中のチューナを予約記録チューナ、該予約記録チューナ以外のチューナを他のチューナとすると、該他のチューナは、前記予約記録チューナで受信した放送コンテンツが前記出力制限手段により出力制限されている場合に、前記予約記録チューナで受信した放送コンテンツ以外の放送コンテンツを受信し、前記コンテンツ出力手段は、前記他のチューナのいずれかで受信した放送コンテンツを出力することを特徴としたものである。
【００１５】
第７の技術手段は、第１乃至第６のいずれかの技術手段において、放送コンテンツに対する番組情報からなる電子番組表を取得する電子番組表取得手段を備え、前記出力制限手段は、前記電子番組表取得手段で取得された番組情報に基づき、所定条件を満たす番組の記録が予約されたときにのみ、該番組の出力を制限することを特徴としたものである。
【００１６】
第８の技術手段は、放送コンテンツを受信して記録及び再生を行う記録再生方法であって、放送コンテンツを受信する受信ステップと、放送コンテンツを出力する出力ステップと、前記受信ステップで受信可能な放送コンテンツを予約記録する予約記録ステップとを含み、前記出力ステップは、前記予約記録ステップにて予約に従った放送コンテンツの記録がなされている期間中、記録対象となっている放送コンテンツの出力を制限する出力制限ステップを有することを特徴としたものである。
【００１７】
第９の技術手段は、第１乃至第７のいずれかの技術手段の記録再生装置として、コンピュータを機能させるためのプログラムである。
【００１８】
第１０の技術手段は、放送コンテンツを受信して予約記録及び再生を行う記録再生装置に組み込んで、該記録再生装置内の演算処理装置に実行させるためのプログラムであって、記録の予約に従った放送コンテンツの記録がなされている期間中、記録対象となっている放送コンテンツの出力を制限するステップを、前記演算処理装置に実行させることを特徴としたものである。
【００１９】
第１１の技術手段は、第９又は第１０の技術手段におけるプログラムを記録したコンピュータ読み取り可能な記録媒体である。
【発明の効果】
【００２０】
本発明によれば、ユーザの意図に反して予約記録中の放送コンテンツを出力して視聴させてしまうといった事態を、防止することができる。
【発明を実施するための最良の形態】
【００２１】
図１は、本発明の一実施形態に係る記録再生装置の一構成例を示す図である。また、図２は、図１の記録再生装置における再生処理例を説明するためのフロー図で、本発明の一実施形態に係る記録再生方法を説明するためのフロー図でもある。
【００２２】
本発明に係る記録再生装置１は、放送局から受信した放送コンテンツを出力及び記録するための装置であり、ハードディスクレコーダ，ＤＶＤレコーダ，ハードディスク内蔵ＤＶＤレコーダ，ＢＤ（Ｂｌｕ−ｒａｙ  Ｄｉｓｃ）レコーダ，ビデオレコーダなど、種々の記録媒体に記録（ダビング）可能な様々な機器に好適に適用でき、さらには、記録再生機能付きのテレビジョン受信機や、放送受信チューナ，記録再生プログラム，ビデオカード（ビデオアダプタともいう）等のモジュールを備えたパーソナルコンピュータ（以下、ＰＣと略す）などにも適用可能である。
【００２３】
図１で説明する記録再生装置１は、放送受信手段１１及び予約記録手段１２に加え、本発明の特徴部分である出力制限手段１３ａを有するコンテンツ出力手段１３を備えるものとする。なお、一覧表示手段１５については、他の実施形態で後述する。
【００２４】
放送受信手段１１は、放送コンテンツを受信する手段であり、衛星放送，地上波放送，モバイル放送等の各種放送を受信するためのアンテナやチューナ等で構成される。放送受信手段１１としては、デジタル放送／アナログ放送に依らず、受信したい放送に対応したアンテナ及びチューナ等が具備されていればよい。
【００２５】
コンテンツ出力手段１３は、放送受信手段１１で受信した放送コンテンツや、記録媒体１４に記録されたコンテンツ（放送コンテンツや他の方法で取得したコンテンツ）を出力する手段である。コンテンツ出力手段１３は、少なくとも放送コンテンツを出力できるものであればよいが、このように放送コンテンツ以外のコンテンツの出力も可能としておくことが好ましい。
【００２６】
また、ここでの出力とは、コンテンツが映像コンテンツであれば表示装置への映像信号出力並びに音声再生装置への音声信号出力によるコンテンツ再生を指し、また、コンテンツがラジオ放送コンテンツ等のオーディオコンテンツであれば音声再生装置への出力によるコンテンツ再生を指す。従って、コンテンツ出力手段１３はコンテンツ再生手段とも言える。なお、このように、本発明はテレビジョン放送に限らず、ラジオ放送にも適用可能であり、以下、ラジオ放送においては受信，出力，記録を行う信号が基本的に音声信号だけとなる（テキスト情報の受信を行う場合にはその信号も出力／記録対象となる）のみであり、ラジオ放送に関する説明は省略する。また、コンテンツ出力手段１３では、受信した放送コンテンツを出力するために、受信信号の復調や映像／音声信号への分離などの各種処理が施される。
【００２７】
予約記録手段１２は、放送受信手段１１で受信可能な放送コンテンツを予約記録する手段であり、例えば次の記録指示受付手段，コンテンツ記録予約手段，コンテンツ記録手段などで構成される。
【００２８】
記録指示受付手段は、ユーザから放送コンテンツ記録の予約指示を受け付ける手段であり、例えば、記録再生装置１の本体やリモートコントローラ（リモコン）に設けられた予約記録ボタン等の押下、場合によってはＯＳＤ（Ｏｎ  Ｓｃｒｅｅｎ  Ｄｉｓｐｌａｙ）等の画面表示手段などを利用した選択入力などによって、予約指示が実行できるように構成されていればよい。勿論、予約記録は、放送コンテンツの放送時間やチャンネル等の指定が必要となるが、これに代わりＧコードや電子番組表（ＥＰＧ）等を利用して予約指示を実行するような機能を付加しておくことが好ましい。コンテンツ記録予約手段は、記録指示受付手段で受け付けた予約指示に対し、その予約指示が示す放送コンテンツの記録処理を予約する手段である。また、コンテンツ記録手段は、コンテンツ記録予約手段で予約された記録処理を、予約開始時間の到来により実行し、放送コンテンツを記録媒体１４に記録し、予約終了時間の到来により記録を終了する手段である。上述のごとき構成により、予約記録手段１２は、予約期間の到来と共に、予約された放送コンテンツを記録媒体１４へ記録する。
【００２９】
なお、記録媒体１４への記録対象となるコンテンツは、放送コンテンツに限らず、或る記憶場所に記憶されネットワーク経由で転送可能なコンテンツも含めてもよいが、放送コンテンツ以外のこのようなコンテンツは、後述の出力制限手段１３ａにおいて記録済みのコンテンツの一つとして記録されるだけである。そのとき、記録再生装置１に設けるコンテンツの入力手段としては、放送コンテンツ入力用のチューナをはじめ、記録媒体やネットワーク通信手段などを適宜設けておけばよい。また、記録媒体１４としては、ハードディスク等の媒体が想定でき、またＤＶＤ，ＢＤ等の外部記録媒体も想定でき、さらにはそれら複数の媒体を組み合わせたものであってもよい。
【００３０】
本発明の主たる特徴部分である、コンテンツ出力手段１３に設けられる出力制限手段１３ａは、予約記録手段１２にて予約に従った放送コンテンツの記録がなされている期間中、記録対象となっている放送コンテンツの出力を制限する手段である。この出力制限については様々な例を後述するが、例えば、出力制限手段１３ａは、番組の予約録画機能を使って４ＣＨの番組を録画中である場合、ユーザは途中の番組を見ることを希望しないものとして、その４ＣＨの放送番組（録画している内容）を表示しないようにする。
【００３１】
出力制限手段１３ａは、例えばテレビ受像機，レコーダ等のアプリケーションの一つとして組み込むためのファームウェアで構成しても、ハードウェアで構成してもよい。また、出力制限手段１３ａは、記録再生装置１において常に機能させておいてもよいが、機能させるモードと機能させないモードとをユーザ選択可能に設けておくことが好ましい。これらモードの提示方法も、予約記録時に出力制限機能付き予約記録モードと通常の予約記録モードとからユーザ選択可能に提示するなど、様々な形態が採り得る。
【００３２】
次に、上述のごとき記録再生装置１における再生処理（出力処理）について、図２を参照して説明する。ここでは、ユーザにより記録の予約操作がなされ、その予約が出力制限機能付き予約記録モードでなされたものとして、再生処理例を説明する。なお、記録の予約操作の方法は、例えば記録対象として選択可能な放送コンテンツの一覧を画面上に表示し、表示したコンテンツ一覧からユーザが記録対象コンテンツを選択することで、記録対象コンテンツが決定されるなど、任意の技術を適用すればよく、その詳細な説明は以降省略する。
【００３３】
まず、記録再生装置１において、ユーザがリモコンや本体の操作ボタンによるユーザ操作を行うことや、予約記録の開始時間の到来によってスリープモードから通常モードへ復帰することで、放送コンテンツの出力指示がなされる（ステップＳ１）。ここで、ユーザ操作とは、ユーザによって電源が投入されること、或いは通常モードにおいてチャンネル選択ボタンを操作することなど、放送コンテンツを表示装置等に出力するための様々な操作がそれに該当する。そして、ステップＳ１に続き、本発明に係る出力制限機能がオフとなっている場合、或いは従来の方式である場合には、デフォルトのチャンネル、或いは直前に選択されたチャンネル、或いはユーザ操作されたチャンネルがそのまま選択され、そのチャンネルで放送されているコンテンツが出力されることとなる。ステップＳ１における放送コンテンツの出力指示とは、例えば、このような放送コンテンツ出力を実行させるための制御指示である。
【００３４】
放送コンテンツ出力指示に対応して、まず、現在予約記録中であるか否かを判定し（ステップＳ２）、予約が現在無い場合或いは予約による記録が実行中でない場合にはステップＳ１での出力指示に基づき、コンテンツ出力手段１３が放送受信手段１１で受信した放送コンテンツを出力する（ステップＳ４）。一方、ステップＳ２で予約記録中であると判定された場合には、出力制限手段１３ａが出力制限処理を施し（ステップＳ３）、その後で、その出力制限に則ってコンテンツ出力手段１３が放送コンテンツを出力する（ステップＳ４）。
【００３５】
以上、本発明によれば、ユーザの意図に反して予約記録中（テレビジョン放送であれば予約録画中）の放送コンテンツを出力して視聴させてしまうといった事態を、防止することができる。従って、本発明を適用することで、ユーザにとって不本意な視聴が行われることがなく、記録再生装置の利便性を向上することができる。なお、予約記録中ではなく、単なる記録中（例えば録画ボタンの押下によって開始される録画中）の放送コンテンツは、ユーザは視聴中に記録操作を行っているので、出力しても何ら問題はなく、出力制限手段１３ａによる出力制限のごとき処理は不要である。
【００３６】
図３は、図１の記録再生装置における再生処理の他の例を説明するためのフロー図で、本発明の他の実施形態に係る記録再生方法を説明するためのフロー図でもある。
【００３７】
出力制限手段１３ａは、予約記録手段１２にて予約に従った放送コンテンツの記録がなされている期間中、記録対象となっている放送コンテンツの出力を禁止する手段として構成してもよい。しかしながら、予約記録中、その放送コンテンツの出力を禁止するに際し、何も出力されないことを避けるために、別のコンテンツの出力を可能としておくことが好ましい。
【００３８】
その一つの方法として、記録再生装置１は、装置１内（すなわち記録媒体１４）に記録済みのコンテンツを一覧表示する一覧表示手段１５を備えることが好ましい。ここで記録済みコンテンツとは、過去に記録済みで現在記録媒体１４内に格納されているコンテンツであり、その取得形態は問わず、放送受信により過去に記録したコンテンツだけでなく、ネットワーク経由でファイル転送などにより取得したコンテンツであってもよい。そして、出力制限手段１３ａは、記録対象となっている放送コンテンツの出力を禁止している期間中、その放送コンテンツの出力を要求された場合に、一覧表示手段１５に対し、記録媒体１４に記録済みのコンテンツを一覧表示するよう指示する手段を有する。
【００３９】
上述のごとき構成の記録再生装置１における再生処理について、図３を参照して説明する。ここでは、ユーザにより記録の予約操作がなされ、その予約が出力制限機能付き予約記録モードでなされたものとして、再生処理例を説明する。
【００４０】
まず、記録再生装置１において、図２のステップＳ１と同様に放送コンテンツの出力指示がなされる（ステップＳ１１）。次に、放送コンテンツ出力指示に対応して、まず、現在予約記録中であるか否かを判定し（ステップＳ１２）、予約が現在無い場合或いは予約による記録が実行中でない場合にはステップＳ１１での出力指示に基づき、コンテンツ出力手段１３が放送受信手段１１で受信した放送コンテンツを出力する（ステップＳ１６）。
【００４１】
一方、ステップＳ１２で予約記録中であると判定された場合、出力制限手段１３ａは出力制限処理として、まず該当する放送コンテンツの出力を禁止し（ステップＳ１３）、記録媒体に記録済みのコンテンツの一覧表示を映像表示装置（或いは他の設定・時刻表示用の表示装置など）に行うように一覧表示手段１５に指示し、この指示を受けた一覧表示手段１５は指示に基づき一覧表示を行う（ステップＳ１４）。ステップＳ１４に続き、ユーザ選択を受け付け、その選択結果に基づき、出力制限手段１３ａが出力コンテンツを決定する（ステップＳ１５）。ステップＳ１３〜Ｓ１５においてなされた出力制限処理の後、その出力制限に則って、すなわちステップＳ１５での決定に基づき、コンテンツ出力手段１３が決定されたコンテンツを出力する（ステップＳ１６）。
【００４２】
また、一覧表示手段１５は、出力制限手段１３ａで出力禁止された放送コンテンツ以外の受信可能な放送コンテンツの一覧を表示するようにしてもよく、さらに、記録済みコンテンツの一覧表示と併せて禁止されていない放送コンテンツの一覧も同時に表示しておくようにしてもよい。但し、禁止されていない放送コンテンツの一覧を表示するためには、当然、予約記録中であってもその一覧に表示する放送コンテンツが出力可能である必要があり、従って予約記録に用いるチューナとは別にチューナを具備しておく必要がある。ここで、放送コンテンツの出力禁止処理並びに一覧表示処理については、図３で説明した通りであり、一覧表示する際の対象が異なるだけである。
【００４３】
このように、出力制限手段１３ａは、記録対象となっている放送コンテンツの出力を禁止している期間中、その放送コンテンツの出力を要求された場合に、一覧表示手段１５に対し、現在出力可能なコンテンツの全部又は一部を一覧表示するよう指示し、一覧表示手段１５がその一覧表示を行った後、記録再生装置１は、出力禁止された放送コンテンツの代替コンテンツをユーザ選択させ、その選択結果に基づいて代替コンテンツの出力を行う。また、一覧表示手段１５は、現在出力可能なコンテンツに対し、その特定シーンなどのサムネイルを用いて一覧表示するようにしてもよい。また、一覧表示を行う際には、例えば現時刻と共にコンテンツの総時間を表示するようにしてもよい。
【００４４】
なお、複数の記録の予約が同時に存在してもよく、さらには複数の同時間の予約が同時に存在してもチューナ等の受信回路や記録先が複数存在すれば対応可能である。そして、本発明を適用する場合にも、例えば、２つのチューナを備え、それらが同時間の２つの予約記録で使用されている場合には、双方のチューナに対し、出力制限を行い、結果として、記録済みコンテンツの一覧を表示させればよい。
【００４５】
本実施形態によれば、予約記録対象となっている放送コンテンツの出力を禁止した場合にも、何も出力されないといった事態を避け、別のコンテンツをユーザの意図で出力することができる。
【００４６】
図４は、図１の記録再生装置における再生処理の他の例を説明するためのフロー図で、本発明の他の実施形態に係る記録再生方法を説明するためのフロー図でもある。
【００４７】
放送コンテンツの出力を禁止するに際し、何も出力されないことを避けるための他の方法としては、上述したように、放送受信手段１１に複数のチューナを備えておき、予約記録に使用しているチューナとは異なるチューナを使用して放送コンテンツを出力するようにしてもよい。但し、出力制限手段１３ａは、そのチューナで出力可能な放送コンテンツを、予約記録中の放送コンテンツ以外の放送コンテンツに制限する。以下、予約記録手段１２で予約記録に使用中のチューナを予約記録チューナ（第１チューナ）、予約記録チューナ以外のチューナを他のチューナとし、また、他のチューナのうち出力を行うチューナを第２チューナとして説明する。
【００４８】
他のチューナは、予約記録チューナで受信した放送コンテンツが出力制限手段１３ａにより出力制限されている場合に、予約記録チューナで受信した放送コンテンツ以外の放送コンテンツを受信するものとする。そして、コンテンツ出力手段１３は、他のチューナのいずれかのチューナ（第２チューナ）で受信した放送コンテンツを出力する。このように、第１チューナを用いて予約録画している内容を表示しない機能が有効となっている場合に、第１チューナ以外のチューナ（他のチューナ）を使用する場合は、該他のチューナは、第１チューナが録画中の番組以外を表示する機能を有する。この機能により予約録画に使用していないチューナは、予約録画中の番組をスキップさせるなど選択できなくしたり、また、チャンネルサーチにおいても、そのチャンネルはサーチ結果から除くようにしたりすればよい。
【００４９】
上述のごとき構成の記録再生装置１における再生処理について、図４を参照して説明する。ここでは、ユーザにより記録の予約操作がなされ、その予約が出力制限機能付き予約記録モードでなされ、且つ予約録画が第１チューナを使用して受信した信号を元に行われているものとして、再生処理例を説明する。
【００５０】
まず、記録再生装置１において、図２のステップＳ１と同様に放送コンテンツの出力指示がなされる（ステップＳ２１）。但し、ステップＳ２１では、第２チューナによって受信する放送コンテンツの出力指示がなされたとする。次に、放送コンテンツ出力指示に対応して、まず、現在第１チューナで予約記録中であるか否かを判定し（ステップＳ２２）、第１チューナを使用した予約が現在無い場合或いは予約による記録が実行中でない場合にはステップＳ２１での出力指示に基づき、第２チューナが指示された放送コンテンツを受信し、コンテンツ出力手段１３が第２チューナで受信された放送コンテンツを出力する（ステップＳ２４）。
【００５１】
一方、ステップＳ２２で予約記録中であると判定された場合、出力制限手段１３ａは第２チューナに対する出力制限処理として、第１チューナで受信中の放送コンテンツを出力制限して、出力する放送コンテンツを決定する（ステップＳ２３）。ステップＳ２３に続き、コンテンツ出力手段１３が決定された放送コンテンツを出力する（ステップＳ２４）。なお、第２チューナに対する出力制限処理は、第２チューナ自体が第１チューナで受信中のチャンネルを受信できないように制御してもよいし、第２チューナは第１チューナで受信中のチャンネルを受信できるが出力の段階でそのチャンネルを出力しないようにしてもよい。
【００５２】
本実施形態によれば、予約記録対象となっている放送コンテンツの出力を禁止した場合にも、何も出力されないといった事態を避け、別の放送コンテンツをユーザの意図（チャンネル選択）で出力することができる。
【００５３】
また、本発明は、他の実施形態として、予約記録中の放送コンテンツの出力を禁止するのではなく、予約記録中の放送コンテンツを必ず先頭から出力（再生）するような出力制限処理を実行するよう構成してもよい。
【００５４】
この実施形態における出力制限手段１３ａは、予約記録手段１２にて予約に従った放送コンテンツの記録がなされている期間中、記録対象となっている放送コンテンツの出力を要求された場合に、要求時点での受信データ（機器操作の状態変化、要求時点での受信時間、記録時間ともいえる）に拘わらず、その放送コンテンツの先頭からの出力とする限定を行う。
【００５５】
すなわち、本実施形態では、予約記録中の放送コンテンツ（放送番組）を途中から視聴させることのないように、先頭からの開始のみに出力を限定する。例えば、予約録画機能により録画している番組（例えば４ＣＨ）を表示する際には、録画中番組（例えば４ＣＨ）を記録媒体から読み出して、必ずその先頭から再生するようにする。また、この実施形態では、上述した一覧表示手段１５並びにこの手段に対する一覧表示指示を行う出力制限手段１３ａを併せて備えてもよい。但し、この形態においては、表示する一覧の一コンテンツとして予約記録中の放送コンテンツも含めるような指示がなされ、その指示に基づく処理がなされ、且つその予約記録中の放送コンテンツがユーザ選択されたときには先頭から再生するようにすればよい。
【００５６】
なお、本実施形態においても複数のチューナを備えておいてもよいことは言及するまでもないが、１つのチューナのみで構成したものの方がより効果が顕著に表れる。また、２つのチューナを有し、複数の同時間の予約が同時に存在してそれらが同時間の２つの予約記録で使用されている場合には、出力を要求された場合にはいずれのチューナに対する要求であっても出力制限を行い、結果として、冒頭から放送コンテンツを出力させればよい。
【００５７】
本実施形態によれば、予約録画された番組を、必ず番組の冒頭から視聴できる。また、本実施形態では、記録の予約を行った放送コンテンツが正常に記録されているかを、コンテンツの途中から視聴をしてしまうようなこともなく確認することもできる。なお、確認した後は、そのまま視聴し続けてもよいし、視聴を止めて、後で視聴するようにしてもよい。
【００５８】
また、本発明は、他の実施形態として、予約記録中の放送コンテンツの出力が要求された場合に、その出力の是非をユーザに確認し、確認がとれた段階でその出力を許可するように構成してもよい。
【００５９】
この実施形態における出力制限手段１３ａは、次の出力確認手段を有する。この出力確認手段は、予約記録手段１２にて予約に従った放送コンテンツの記録がなされている期間中、記録対象となっている放送コンテンツの出力を、ユーザから或いは装置の制御部から要求された場合に、出力の是非を確認する表示を行う。そして、出力制限手段１３ａは、出力確認手段での確認の結果、予約記録中の放送コンテンツの出力を再度要求されている場合、すなわちユーザ確認によりコンテンツ途中からの出力が認められた場合には、その放送コンテンツに対して実行した確認以外の出力制限を行わないようにする。ここで、確認以外の出力制限を実行していてもよいが、併せて、確認結果により途中からの出力がユーザに認められた場合にはその出力制限を解除するようにする必要がある。
【００６０】
本実施形態では、例えば、テレビ画面に確認するＧＵＩ（グラフィカルユーザインターフェース）を表示するなどの確認を行う。確認のために表示する文章としては、例えば、「現在録画中の内容を表示しない機能が有効になっています、内容を確認しますか。確認するには○○ボタンを押して下さい」などとすればよく、また音声による確認であってもよい。
【００６１】
また、本実施形態の応用として、ユーザ確認がとれた予約記録中の放送コンテンツ出力に対しても、途中から出力せず、冒頭から出力するようにしてもよい。また、ユーザ確認の際に、出力しないのか、或いは放送コンテンツを現在受信中のものを出力するのか、或いは放送コンテンツを冒頭から出力するのか、のいずれかを問うような内容にしておき、その返答に応じた処理を行うようにしてもよい。このように、本実施形態の応用として、確認をとり、確認が得られた段階で、確認以外の出力制限を施すようにしてもよい。
【００６２】
本実施形態によれば、ユーザの意志を反映して、予約記録中の放送コンテンツの出力が可能となり、例えば、ニュース番組など途中から視聴し、それまでに放映された部分を後で視聴するようにしてもよいような放送コンテンツにも対応が可能となる。
【００６３】
図５は、図１の記録再生装置における再生処理の他の例を説明するためのフロー図で、本発明の他の実施形態に係る記録再生方法を説明するためのフロー図でもある。また、図６は、図５の再生処理において提示する電子番組表の一例を示す図である。
【００６４】
本発明の他の実施形態として、記録再生装置１は、放送コンテンツに対する番組情報からなる電子番組表（ＥＰＧ）を、ネットワーク経由やデジタル放送から取得する電子番組表取得手段を具備するようにしてもよい。そして、この実施形態における出力制限手段１３ａは、電子番組表取得手段で取得された番組情報に基づき、所定条件を満たす番組の記録が予約（予約選択）されたときにのみ、その番組の出力を制限するようにする。
【００６５】
また、この電子番組表取得手段は、予約記録手段１２に備えられることが好ましく、また、ここで説明する実施形態とは無関係に予約記録手段１２では電子番組表による記録の予約を可能としておくことが好ましい。例えば、予約記録手段１２は、電子番組表取得手段に加え、電子番組表取得手段で取得した電子番組表をユーザに提示する電子番組表提示手段と、提示した電子番組表から、予約記録を行う放送コンテンツとして、所望の番組をユーザに選択させるユーザ選択手段とを備えればよい。
【００６６】
出力制限手段１３ａにおける出力制限を機能させる条件となる上述の所定条件とは、例えば、スポーツ，連続ドラマ，長時間映画番組，特定歌謡番組等の番組のカテゴリ別やジャンル別に特定番組を指定するための条件であってもよいし、出演者による条件であってもよく、その他、様々な条件が適用できる。
【００６７】
上述のごとき構成の記録再生装置１における再生処理について、図５及び図６を参照して説明する。ここでは、ユーザにより記録の予約操作がなされ、その予約が出力制限機能付き予約記録モードでなされ、且つ、上述したユーザ確認や一覧表示等の実施形態も併せて適用した例を説明する。
【００６８】
まず、記録再生装置１において、図２のステップＳ１と同様に放送コンテンツの出力指示がなされる（ステップＳ３１）。但し、ステップＳ３１では、装置内に具備された第１チューナ又は第２チューナによって受信する放送コンテンツに対し、出力指示がなされたとし、予約録画する放送コンテンツは第１チューナによって受信したものとして説明する。
【００６９】
次に、放送コンテンツ出力指示に対応して、まず、現在第１チューナで予約記録中であるか否かを判定し（ステップＳ３２）、第１チューナを使用した予約が現在無い場合或いは予約による記録が実行中でない場合にはステップＳ３１での出力指示に基づき、出力制限手段１３ａが出力コンテンツを決定する（ステップＳ４０）。ステップＳ４０に続き、コンテンツ出力手段１３が決定されたコンテンツを出力する（ステップＳ３９）。ステップＳ３２，Ｓ４０と続く処理の後に実行されるステップＳ３９では、指示により決定された放送コンテンツを第１又は第２チューナが受信し、コンテンツ出力手段１３がそのチューナで受信された放送コンテンツを出力する。
【００７０】
一方、ステップＳ３２で予約記録中であると判定された場合、出力制限手段１３ａは第１・第２チューナに対する出力制限処理として、ＥＰＧ２０で取得した番組情報２１から、第１チューナで受信中の放送コンテンツが所定条件を満たすものであるかを判定する（ステップＳ３３）。ステップＳ３３で所定条件を満たさない場合、ステップＳ４０，Ｓ３９の処理を行う。なお、ＥＰＧ２０には、各番組に番組情報２１が含まれ、番組情報２１としては、例えば放送局名，放送日，開始時刻，終了時刻，ジャンル，番組名，放送回数（△回／○○回），出演者，内容などが含まれる。
【００７１】
ステップＳ３３で予約記録中の放送コンテンツが所定条件を満たすものである場合、まず、ユーザに出力の是非を確認する（ステップＳ３４）。この確認でユーザがどちらを選択したかの情報を得て、そのユーザ選択に基づきそのまま出力してもよいか否かを判定する（ステップＳ３５）。そのままの出力でよい場合には、ステップＳ４０，Ｓ３９の処理を行う。なお、ここで、予約記録中の放送コンテンツを先頭からの出力に決定して、ステップＳ４０の処理を実行してもよい。
【００７２】
ステップＳ３５でＮＯであった場合、第１チューナで受信中の放送コンテンツを出力しないよう、第１・第２チューナの出力を制限し（ステップＳ３６）、一覧表示手段１５は録画で使用されている第１チューナ以外で取得可能なコンテンツ（第２チューナで受信可能な放送コンテンツ及び記録媒体に記録済みのコンテンツ）の一覧を表示する（ステップＳ３７）。この一覧表示は、図６の電子番組表２０と共に記録済みコンテンツの一覧を表示するようにすればよい。そのとき、電子番組表２０では、例えば、予約録画中の番組を示す領域２２を色分けするなど特別な表示とし、且つ選択できないようにするとよい。ステップＳ３７での一覧表示に基づき、ユーザが視聴したいコンテンツを選択すると、コンテンツ出力手段１３は、その選択情報に基づき出力する放送コンテンツを決定し（ステップＳ３８）、決定された放送コンテンツを出力する（ステップＳ３９）。
【００７３】
本実施形態によれば、ユーザが指定した特定の条件を満たす放送コンテンツが予約録画されている場合のみ、出力制限をかけることが可能となる。
【００７４】
次に、上述した各実施形態に係る記録再生装置としての番組録画再生装置への適用例を説明する。記録再生装置としての処理の詳細については、上述した通りであり、基本的にその説明を省略するが、この番組録画再生装置は、少なくとも本発明に係る出力制限の機能のいずれかを有するものとする。
【００７５】
図７は、本発明に係る記録再生装置の一構成例としての番組録画再生装置の一例を示すブロック図である。なお、上述した各実施形態と共通の部分の説明は省略する。
【００７６】
番組録画再生装置３０は、アンテナ３１ａ，３１ｂ，チューナ３２ａ，３２ｂ，デコード部３３，ＥＰＧ処理部３４，エンコード部３５，本発明の主要部が含まれる出力制御部３６，ネットワークインタフェイス（以下、Ｉ／Ｆと略す）部３７，入力部３８，外部記録媒体Ｉ／Ｆ部３９，記憶部４０，ＣＰＵ４１，メモリ４２，システムバス４３を備えている。記憶部４０は磁気ディスクなどで構成され、メモリ４２はＲＯＭやＲＡＭなどで構成され、チューナ３２，デコード部３３，ＥＰＧ処理部３４，エンコード部３５，出力制御部３６，ネットワークＩ／Ｆ部３７，入力部３８，外部記録媒体Ｉ／Ｆ部３９，記憶部４０，ＣＰＵ４１，メモリ４２の各部はシステムバス４３を介して相互に接続されている。また、デコード部３３，ＥＰＧ処理部３４，エンコード部３５，出力制御部３６，ＣＰＵ４１，メモリ４２，システムバス４３やその他の部位を、システムＬＳＩ（Ｓｙｓｔｅｍ  Ｌａｒｇｅ  Ｓｃａｌｅ  Ｉｎｔｅｇｒａｔｉｏｎ）として構成してもよい。
【００７７】
さらに、番組録画再生装置３０は、番組録画再生装置３０へ遠隔で各種操作入力するためのリモートコントローラ（以下、リモコンと略す）４５、音声データの出力装置であるスピーカ４６、映像データの出力装置であるＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ），ＥＬＤ（Ｅｌｅｃｔｒｏｌｕｍｉｎｅｓｃｅｎｃｅ  Ｄｉｓｐｌａｙ）などの表示装置４７、音声や映像データを記録可能なＤＶＤ，ビデオテープ，半導体メモリ，ＨＤなどの外部記録媒体４８などで構成され、出力制御部３６を介してコンテンツの出力先となるスピーカ４６及び表示装置４７を接続し、外部記録媒体Ｉ／Ｆ部３９を介して外部記録媒体４８を着脱可能に接続し、ネットワークＩ／Ｆ部３７を介してインターネットなどのネットワーク４４と接続可能とする。なお、入力部３８は受光部を備え、リモコン４５からの操作信号を入力する。
【００７８】
図７において、チューナ３２ａは、アンテナ３１ａで受信された放送波から放送信号を復調し、映像信号成分、音声信号成分、（及びコンテンツに関する情報）に分離する。同様に、チューナ３２ｂは、アンテナ３１ｂで受信された放送波から放送信号を復調し、映像信号成分、音声信号成分、（及びコンテンツに関する情報）に分離する。ここで、コンテンツに関する情報は、ＥＰＧデータから取得するようにしてもよい。ＥＰＧデータは、例えば、番組名，ジャンル，放送時間帯（開始時刻／終了時刻），出演者，番組内容（あらすじ）などの各番組に関する情報が含まれ、放送波から取得する以外に、ＥＰＧ配信サービスを提供するサービス提供業者等のサーバ装置からネットワーク４４を介してネットワークＩ／Ｆ部３７で取得するようにしてもよい。なお、放送波は、デジタル放送波（ＢＳ，ＣＳ，地上波）或いはアナログ放送波のいずれであってもよい。
【００７９】
アナログ放送波による番組を録画する場合、チューナ３２は、アンテナ３１を介して受信した高周波信号（アナログ変調信号）を復調し、分離した映像信号と音声信号をエンコード部３５に、ＥＰＧデータをＥＰＧ処理部３４にそれぞれ入力する。エンコード部３５は、入力された映像信号と音声信号を、例えば、ＭＰＥＧ（Ｍｏｖｉｎｇ  Ｐｉｃｔｕｒｅ  Ｅｘｐｅｒｔｓ  Ｇｒｏｕｐ）方式などでエンコードする。エンコードされた映像信号と音声信号は、記憶部４０或いは外部記録媒体４８に記憶される。また、上述した常時記録手段においてもこのような録画を実行すればよい。ＥＰＧ処理部３４は、ＥＰＧデータの構造解析を行い、その解析結果を記憶部４０に記憶する。なお、記憶部４０に記憶されるＥＰＧデータは、新たなＥＰＧデータを取得する毎に最新のものに更新するようにしてもよい。ここで、本発明に係る一覧表示における現在予約録画中の放送番組の特別表示は、予約録画が開始されると共にＥＰＧデータ自体を書き換えるか、予約録画が開始されてから一覧表示がなされるときに特別表示の部分を重ねあわせるかによって実行するとよい。
【００８０】
アナログ放送の録画データを再生する場合、記憶部４０或いは外部記録媒体４８に記憶された映像信号と音声信号はデコード部３３に出力され、デコード部３３は、入力された映像信号と音声信号をＭＰＥＧ方式でデコードして出力制御部３６に出力する。出力制御部３６は、デコードされた映像信号に基づいて表示出力を制御して表示装置４７に映像を出力させると共に、音声信号に基づいて音声出力を制御してスピーカ４６に音声を出力させる。視聴者は上述の各信号に対応したアナログ放送番組を視聴することができる。
【００８１】
また、デジタル放送波による番組を録画する場合、チューナ３２は、アンテナ３１を介して受信した高周波信号（デジタル変調信号）を復調し、分離した映像信号と音声信号とコンテンツ情報とを記憶部４０或いは外部記録媒体４８に出力して記憶させる。ＥＰＧデータはＥＰＧ処理部３４に入力させる。デジタル放送波の予約録画の場合もＥＰＧ処理部３４における予約録画処理は同じであるが、放送波として受信したコンテンツ情報を利用できる点が異なる。
【００８２】
デジタル放送の録画データを再生する場合、記憶部４０或いは外部記録媒体４８に記憶された映像信号と音声信号はデコード部３３に出力され、デコード部３３は、入力された映像信号と音声信号をデコードして出力制御部３６に出力する。出力制御部３６は、デコードされた映像信号に基づいて表示出力を制御して表示装置４７に映像を出力させると共に、音声信号に基づいて音声出力を制御してスピーカ４６に音声を出力させる。視聴者は上述の各信号に対応したデジタル放送番組を視聴することができる。デジタル放送波の再生の場合もアナログ放送波の再生処理と同じであるが、放送波として受信したコンテンツ情報を利用できる点が異なる。
【００８３】
そして、本発明の特徴部分である出力制限処理は、主として出力制御部３６でなされ、システムバス４３を介して、或いは直接チューナ３２ａ，３２ｂやＥＰＧ処理部３４等の各部と連携して実行される。この出力制限処理は、その他に、記憶部４０等に記憶させた本発明に係るファームウエアをＣＰＵ４１がメモリ４２を用いて実行し、出力制御部３６等を制御することで実行されるような構成であってもよい。
【００８４】
以上、図１乃至図７を参照しながら、本発明の記録再生装置及び方法を中心に各実施形態を説明してきたが、本発明は、上述した各実施形態における記録再生装置（又は各手段）として機能させるための記録再生プログラム、或いはコンピュータにそれら装置の処理手順或いはそれら方法の各ステップを実行させるための記録再生プログラムとしても、或いは、その記録再生プログラムを記録した情報処理機器で読み取り可能な記録媒体としての形態もある。
【００８５】
本発明に係るプログラムは、ファームウエアとして触れたように、放送コンテンツを受信して予約記録及び再生を行う記録再生装置に組み込んで、記録再生装置内の演算処理装置に実行させるためのものである。このプログラムは、少なくとも、記録の予約に従った放送コンテンツの記録がなされている期間中、記録対象となっている放送コンテンツの出力を制限するステップを、演算処理装置に実行させるものとする。ここでは、予約記録中であることをこのプログラムにて検出すればよい。なお、ＰＣをはじめとする汎用コンピュータやＰＤＡ（携帯情報端末）等のモバイルコンピュータ、或いは携帯電話等で、本発明に係るファームウエア又はアプリケーションプログラムとして組み込んで適用する場合には、画像描画用のＬＳＩ（Ｌａｒｇｅ  Ｓｃａｌｅ  Ｉｎｔｅｇｒａｔｉｏｎ）チップや画面イメージを保持するメモリ（ＶＲＡＭ）、表示装置と接続するための端子などで構成され、画面表示機能を追加する拡張カード（ビデオアダプタ）を、装着しておく方が処理速度の観点から好ましい。
【００８６】
本発明による記録再生の機能を実現するためのプログラムやデータを記憶した記録媒体の実施形態を説明する。ここでの記録媒体としては、具体的には、各種のＣＤ，ＭＯ（光磁気ディスク），ＤＶＤ，ＦＤ，フラッシュメモリや、その他各種ＲＯＭやＲＡＭ等が想定でき、上述した記録再生プログラムを、これら記録媒体に記録して流通させることにより、当機能の実現を容易にする。そして、コンピュータ等の情報処理装置に、上述のごとくの記録媒体を装着して情報処理装置により記録再生プログラムを読み出すか、若しくは情報処理装置が備えている記録媒体に記録再生プログラムを記憶させておき、必要に応じてこれを読み出すことにより、本発明に係わる記録再生の機能を実行することができる。
【図面の簡単な説明】
【００８７】
【図１】本発明の一実施形態に係る記録再生装置の一構成例を示す図である。
【図２】図１の記録再生装置における再生処理例を説明するためのフロー図である。
【図３】図１の記録再生装置における再生処理の他の例を説明するためのフロー図である。
【図４】図１の記録再生装置における再生処理の他の例を説明するためのフロー図である。
【図５】図１の記録再生装置における再生処理の他の例を説明するためのフロー図である。
【図６】図５の再生処理において提示する電子番組表の一例を示す図である。
【図７】本発明に係る記録再生装置の一構成例としての番組録画再生装置の一例を示すブロック図である。
【符号の説明】
【００８８】
１…記録再生装置、１１…放送受信手段、１２…予約記録手段、１３…コンテンツ出力手段、１３ａ…出力制限手段、１４…記録媒体、１５…一覧表示手段、３０…番組録画再生装置、３１ａ，３１ｂ…アンテナ、３２ａ，３２ｂ…チューナ、３３…デコード部、３４…ＥＰＧ処理部、３５…エンコード部、３６…出力制御部、３７…ネットワークＩ／Ｆ部、３８…入力部、３９…外部記録媒体Ｉ／Ｆ部、４０…記憶部、４１…ＣＰＵ、４２…メモリ、４３…システムバス、４４…ネットワーク、４５…リモートコントローラ、４６…スピーカ、４７…表示装置、４８…外部記録媒体。
【図１】
2006287785.tif 000003
【図２】
2006287785.tif 000004
【図３】
2006287785.tif 000005
【図４】
2006287785.tif 000006
【図５】
2006287785.tif 000007
【図６】
2006287785.tif 000008
【図７】
2006287785.tif 000009